Podtech/llm-jp-corpus-v4-ja_patent huggingface dataset:
(57)【要約】      （修正有）【課題】ゴミ容器にゴミをなるべく入れやすい様にした、ゴミ投入部位を取り付けたゴミ容器を提供する。【解決手段】ゴミ容器本体１にゴミ反射板２とゴミ受け板３を別々に作り、使う時に組み立てて結合部５とし、段ボール等の材料に縦の切れ目を付けてゴミ容器本体に合わせる。【選択図】図２
0003234441.tif 000002
【実用新案登録請求の範囲】
【請求項１】
ゴミ容器本体上部に装着する立体的なゴミ投入部位のゴミ反射板部分とゴミ受け板部分を分離させる。
【請求項２】
ゴミ反射部分とゴミ受け板部分は組立てることが出来るようにする。
【請求項３】
ゴミ反射部分の外側の面に任意数の縦線の切れ目をつける。
【請求項４】
ゴミ受け部分の裏側の両端から少し内面に数本の切れ目をつける。
【請求項５】
このゴミ投入部を作るときの材料は段ボール、厚紙、合成樹脂等適宜素材とする。
【考案の詳細な説明】
【技術分野】
【０００１】本考案、ゴミ容器の上部にゴミ反射板とゴミ受け板を組み合わせて取り付けた、ゴミ容器に関するものである、目的はゴミの容器にゴミをなるべく入る様にする為の工夫である。
【背景技術】
【０００２】ゴミをゴミ容器に捨てる際に上部から入たり、蓋を取って入れていた。
【先行技術文献】
【０００３】２０２１年２月１８日、実用新案出願
【考案の概要】
【考案が解決しようとする課題】
【０００４】ゴミ容器本体上部にゴミ反射板とゴミ受け板を最初から固定させて取り付ける、その様にすると、次の様な問題がおきる、まず決まったゴミ容器にしか利用できない、又商品として運搬したり  在庫とすると場所が多く必要となる、それから、段ボールで作ると形を整える事がむずかしい。
前述の欠点を解決しようとするものである。
【課題を解決するための手段】
【０００５】本考案は先ず、分離したゴミ反射部分とゴミ受け部分は組立てる事ができるようにする又ゴミ反射部分の外側の面に任意数の縦の切れ目を付ける  そしてゴミ受け部分の裏側の両端から少し内面に数本の切れ目を付ける又このゴミ投入部を作るときの材料は段ボール、厚紙、合成樹脂である。
このようにして問題を解決している。
【考案の効果】
【０００６】上述の様に、ゴミ反射板とゴミ受け板を組立てれば立体的になる、又段ボールで作る場合にゴミ反射板の外側に縦線の切れ目により円形、角形、楕円形の内径に合わせる事もできる。
【図面の簡単な説明】
【０００７】
【図１】ゴミ反射板とゴミ受け板を組立てた投入部位の斜視図
【図２】ゴミ投入部位とゴミ容器本体の斜視図
【図３】ゴミ反射板の斜視図
【図４】ゴミ反射板の外側に縦線の切れ目を付けた正面図
【図５】ゴミ受け板の斜視図
【図６】ゴミ受け板の裏側の両端に数本の縦線の切れ目を付けた正面図
【考案を実施するための形態】
【実施励１】
【０００８】以下、添付図面に従って実施例を説明する、２ゴミ反射板と３ゴミ受け板を結合部で結合させて１ゴミ容器本体に取り付ける、
【０００９】２ゴミ反射板は段ボールで作る場合、１ゴミ容器の内径により５結合部で調整する。
【００１０】２ゴミ反射板の外側に切れ目を付ける、その様にすることにより１ゴミ容器本体の形状に合わせて作る事が出来る。
【００１１】３ゴミ受け板の両端を縦型に折り曲げる、又裏面は両端から数本切れ目を付ける、その様にすると２ゴミ反射板の幅に合わせることが出来る。又３ゴミ受け板の先端は２ごみ反射板との結合部とする。
【図１】
0003234441.tif 000003
【図２】
0003234441.tif 000004
【図３】
0003234441.tif 000005
【図４】
0003234441.tif 000006
【図５】
0003234441.tif 000007
【図６】
0003234441.tif 000008
【手続補正書】
【提出日】令和3年7月2日(2021.7.2)
【手続補正１】
【補正対象書類名】実用新案登録請求の範囲
【補正対象項目名】全文
【補正方法】変更
【補正の内容】
【実用新案登録請求の範囲】
【請求項１】
ゴミ反射板とゴミ受け板とからなる立体的なゴミ投入部位構造であって、前記ゴミ反射板と前記ゴミ受け板がゴミ容器本体上部に装着可能であることを特徴とするゴミ投入部位構造。
【請求項２】
前記ゴミ反射板と前記ゴミ受板は、組み立て可能であることを特徴とする請求項１に記載のゴミ投入部位構造。
【請求項３】
前記ゴミ反射板の外側の面に任意数の縦線の切れ目がつけられたことを特徴とする請求項１に記載のゴミ投入部位構造。
【請求項４】
前記ゴミ受け板の裏側の両端から少し内面に数本の切れ目がつけられたことを特徴とする請求項１に記載のゴミ投入部位構造。
【請求項５】
前記ゴミ反射板と前記ゴミ受け板が、段ボール、厚紙、または、合成樹脂からなることを特徴とする請求項１に記載のゴミ投入部位構造。
(57)【要約】      （修正有）【課題】ペットと一緒に旅行できなくて困っている方に「ペットと一緒」に旅行を可能にする、トレーラーハウス型ペット専用の宿泊・滞在施設を提供する。【解決手段】トレーラーハウス型ペット専用の宿泊・滞在施設は、ペットの宿泊・滞在が可能な完全個室のユニット家屋をトレーラーハウス用シャーシ上に設置したトレーラーハウスであり、旅館・ホテルや観光・行楽施設の敷地内に設置する。ペットが宿泊・滞在する各室には、完全防水の床１、調湿・消臭機能付きの壁タイル、鍵付きのドア２を設ける。また、室内全体の環境を快適に保つため、２４時間換気装置、空調設備を完備し、手洗い設備３を設置する。【選択図】図１
0003234444.tif 000002
【実用新案登録請求の範囲】
【請求項１】
ホテル・旅館や観光・行楽施設の敷地内に設置することで、家族とペットが一緒に旅行ができるようになる、完全個室仕様のユニット家屋を組み合わせた、トレーラーハウス型ペット専用の宿泊・滞在施設。
【考案の詳細な説明】
【技術分野】
【０００１】    本考案は、トレーラーハウスに係り、詳しくは個室型ユニット家屋を組み合わせたペットの宿泊・滞在ができるトレーラーハウスである。
【背景技術】
【０００２】  近年、ペット需要もますます増えていくなか、ペットと宿泊を伴う旅行に行きたいが、現状の旅館・ホテルはペットと宿泊できない施設が多いため、ペットと一緒に旅行することができずに困っている旅行者が多い。
【考案の概要】
【考案が解決しようとする課題】
【０００３】  ペットと旅行する場合、現状ではペットホテルに預けたり、ペットシッターに家に来てもらうなど、ペットと一緒に旅行できないため、旅行を控えている方が少なくない。そのような方が「ペットと一緒に旅行できる」解決策を提供するものである。
【課題を解決するための手段】
【０００４】  本考案のトレーラーハウス型宿泊・滞在施設を旅館・ホテルや観光・行楽施設の敷地内に設置することにより、ペットと家族はいつでも会うことができ、安心して旅館・ホテルや観光・行楽施設に宿泊・滞在することができる。
【考案の効果】
【０００５】  ●ペットと旅行をしたい方のメリット
ペットと一緒に旅行ができる機会が増える。
いつでもペットと会えるため、散歩や食事の世話をすることが可能に。【０００６】  ●旅館・ホテルや観光・行楽施設のメリット
今まで顧客にできなかった、ペットと旅行がしたいというマーケットから集客するこ    とができるようになる。
他施設との差別化、リピーター確保等、売上げアップ、安定が見込める。
【図面の簡単な説明】
【０００７】  以下、トレーラーハウス型ペット用宿泊・滞在施設を図面をもとに説明する。
【図１】図１は、本考案のトレーラーハウスにペットが宿泊滞在する部屋構成を示す平面図である。
【図２】図２は、正面から見た出入口、開口を示した立面図である。
【考案を実施するための形態】
【０００８】  トレーラーハウス型のペット用宿泊・滞在施設は、旅館・ホテルや観光・行楽施設の敷地内まで移動し設置されるトレーラーハウスであって、トレーラハウス用シャーシ上に完全個室型のユニット家屋を設置する。
部屋の数はトレーラーハウスの大きさにより増減可能。
【０００９】  各室には完全防水の床、調湿・消臭機能付きの壁タイル、鍵付きのドアを設ける。また、室内全体の環境を快適に保つため、２４時間換気装置、空調設備を完備。また、手洗い設備を設置する。
【実施例】
【００１０】  以下、添付図面に従って実施例を説明する。
１，各室の床は、ペットの糞尿が浸透しないよう防水仕様にする。
２，各室のドアは全て鍵を設置し、完全個室として使用できる。
３，洗面設備を設置し、手洗い・ペットの食器洗い等ができるようにする。
【産業上の利用可能性】
【００１１】  観光業界、旅館・ホテル業界の顧客需要の拡大、活性化に寄与するものと確信します。
【符号の説明】
【００１２】１，各室の床
２，各室のドア
３，洗面設備
【図１】
0003234444.tif 000003
【図２】
0003234444.tif 000004
(57)【要約】      （修正有）【課題】家族の団らんを高い自由度で表現することの可能な墓石を提供する。【解決手段】墓石は、台座石２と、背面石３と、を備えている。背面石３は、台座石２の背面側に位置し、台座石２よりも上方まで立設している。台座石２には、故人又は故愛玩動物に模した形状を有する墓誌４を配置可能な複数の配置溝２１が形成されており、墓誌４は、配置溝２１内の所望の位置に配置可能である。これにより、故人又は故愛玩動物を模した墓誌４の配置を選択・変更することができるので、家族の団らんを高い自由度で表現することが可能となる。また、配置溝２１に配置された墓誌４を配置溝２１に沿って滑らせることで、墓誌４の配置を容易に変更することが可能となる。【選択図】図２
0003234494.tif 000002
【実用新案登録請求の範囲】
【請求項１】
台座石と、
前記台座石の背面側に位置し、前記台座石よりも上方まで立設する背面石と、
を備え、
前記台座石には、故人又は故愛玩動物に模した形状を有する墓誌を配置可能な複数の配置溝が形成されており、前記墓誌は、前記配置溝内の所望の位置に配置可能であることを特徴とする墓石。
【請求項２】
前記背面石は、家を模した形状を有していることを特徴とする請求項１に記載の墓石。
【考案の詳細な説明】
【技術分野】
【０００１】
本考案は、家族の団らんを高い自由度で表現することの可能な墓石に関する。
【背景技術】
【０００２】
従来より、墓石の近傍に写真表示具を設置し、この写真表示具に有底穴を開けるとともにこの有底穴の底面に写真を設置し、この有底穴の開口部に蓋体を着脱可能に設置した墓石用写真表示装置が知られている（例えば、特許文献１参照）。
【先行技術文献】
【特許文献】
【０００３】
【特許文献１】特開２００６−３７４２３
【考案の概要】
【考案が解決しようとする課題】
【０００４】
しかしながら、上記技術は、写真を配置するだけであり、表現の自由度が高いわけではない。
【０００５】
そこで、本考案は、家族の団らんを高い自由度で表現することの可能な墓石を提供することを目的としている。
【課題を解決するための手段】
【０００６】
上記課題を解決するために、本考案は、台座石と、前記台座石の背面側に位置し、前記台座石よりも上方まで立設する背面石と、を備え、前記台座石には、故人又は故愛玩動物に模した形状を有する墓誌を配置可能な複数の配置溝が形成されており、前記墓誌は、前記配置溝内の所望の位置に配置可能であることを特徴とする墓石を提供している。
【０００７】
このような構成によれば、故人又は故愛玩動物を模した墓誌の配置を選択・変更することができるので、家族の団らんを高い自由度で表現することが可能となる。特に、後から墓誌を追加する場合などに効果的である。また、配置溝に配置された墓誌を配置溝に沿って滑らせることで、墓誌の配置を容易に変更することが可能となる。
【０００８】
また、前記背面石は、家を模した形状を有していることが好ましい。
【０００９】
このような構成によれば、家族の団らんを更に表現することが可能となる。
【考案の効果】
【００１０】
本考案の墓石によれば、家族の団らんを自由に表現することが可能となる。
【図面の簡単な説明】
【００１１】
【図１】本考案の実施の形態による墓石の斜視図
【図２】本考案の実施の形態による台座の上面図
【図３】本考案の変形例による台座の上面図
【考案を実施するための形態】
【００１２】
以下で、本考案の実施の形態による墓石１について、図１及び図２を参照して説明する。
【００１３】
図１に示すように、墓石１は、台座石２と、背面石３と、を備えている。
【００１４】
台座石２には、図２に示すように、故人又は故愛玩動物に模した形状を有する墓誌４を配置可能な複数の配置溝２１が形成されている。
【００１５】
本実施の形態では、墓誌４は、図１に示すように、板状の胴体部４１と、円形状の頭部４２と、を備えており、各配置溝２１は、胴体部４１の下部が嵌合される形状・サイズを有している。
【００１６】
これにより、墓誌４を配置溝２１内の所望の位置に自由に配置できると共に、配置溝２１に配置された墓誌４を配置溝２１に沿って滑らせることで、墓誌４の配置を容易に変更することが可能となる。
【００１７】
なお、胴体部４１は、故人又は故愛玩動物の胴体を模したもの、頭部４２は、故人又は故愛玩動物の顔、頭を模したものであり、所望の描画等を行ったものを用いることができる。
【００１８】
背面石３は、台座石２の背面側に位置し、台座石２よりも上方まで立設している。背面石３は、台座石２上に配置されても良いし、台座石２の後ろに配置されても良いが、本実施の形態では、台座石２の背後に隣接して配置されている。
【００１９】
また、本実施の形態では、背面石３は、家を模した形状を有している。図１では、背面石３は、家の壁と屋根を模した形状を有している。
【００２０】
このような構成により、家を模した背面石３の前に、故人又は故愛玩動物を模した墓誌４を配置することで、家族の団らんを表現することが可能となる。
【００２１】
なお、図１では、台座石２の正面側に、表札５が配置されている。
【００２２】
以上説明したように、本実施の形態による墓石１では、台座石２には、故人又は故愛玩動物に模した形状を有する墓誌４を配置可能な複数の配置溝２１が形成されており、墓誌４は、配置溝２１内の所望の位置に配置可能である。
【００２３】
このような構成によれば、故人又は故愛玩動物を模した墓誌４の配置を選択・変更することができるので、家族の団らんを高い自由度で表現することが可能となる。特に、後から墓誌４を追加する場合などに効果的である。また、配置溝２１に配置された墓誌４を配置溝２１に沿って滑らせることで、墓誌４の配置を容易に変更することが可能となる。
【００２４】
また、本実施の形態による墓石１では、背面石３は、家を模した形状を有している。
【００２５】
このような構成によれば、家族の団らんを更に表現することが可能となる。
【００２６】
尚、本考案の墓石は、上述した実施の形態に限定されず、実用新案登録請求の範囲に記載した範囲で種々の変形や改良が可能である。
【００２７】
例えば、上記実施の形態では、墓誌４は、板状の胴体部４１と、円形状の頭部４２と、を備えていたが、円柱状の胴体部や球状の頭部など、自由な形状を採用することができる。配置溝２１の形状・サイズは、胴体部４１の下部の形状に応じて形成すれば良い。
【００２８】
また、配置溝２１の位置や数は、図２に示したものに限定されず、例えば、図３に示すように形成しても良い。
【００２９】
また、上記実施の形態では、背面石３は、家の壁と屋根を模した形状を有していたが、これに限らず、家の窓、家の玄関等を模した形状であっても良い。
【符号の説明】
【００３０】
１          墓石
２          台座石
３          背面石
４          墓誌
２１      配置溝
【図１】
0003234494.tif 000003
【図２】
0003234494.tif 000004
【図３】
0003234494.tif 000005
(57)【要約】      （修正有）【課題】プリントをしてファッション性及びデザイン性を高め、且つ実用性のあるくもり止めプリントクロスを提供する。【解決手段】ポリエステル又はポリエステル／ナイロンを原料とし、織り又は編まれた無地のマイクロファイバークロスに、少なくとも１種の界面活性剤を含浸させ、防曇特性がある無地のくもり止めクロスの表面１１にインクジェットプリントまたは転写プリントをする。又はくもり止めクロスの表面１１と裏面１２にインクジェットプリントまたは転写プリントをする。様々な図案・絵柄・模様・写真画像を表現することができ、ファッション性、デザイン性が高いくもり止めプリントクロス１０になる。【選択図】図２
0003234386.tif 000002
【実用新案登録請求の範囲】
【請求項１】
ポリエステル又はポリエステル／ナイロンを原料とし、織り又は編まれた２つの面を有する無地のマイクロファイバークロスに、少なくとも１種の界面活性剤を含浸させて防曇特性がある無地のくもり止めクロスに、インクジェットプリント又は転写プリントで様々な図案・絵柄・模様・写真画像を表現して実用性プラスファッション性とデザイン性を特徴とするくもり止めプリントクロス。
【請求項２】
前記の２つの面とは表面と裏面を指し、表面のみインクジェットプリント又は転写プリントで様々な図案・絵柄・模様・写真画像を表現して裏は無地のパターンと表面と裏面の両面にインクジェットプリント又は転写プリントのパターンがあるくもり止めプリントクロス。
【考案の詳細な説明】
【技術分野】
【０００１】本考案は、ポリエステル又はポリエステル／ナイロンを原料とし織り又は編まれた２つの面を有する無地のマイクロファイバークロスに少なくとも１種の界面活性剤を含浸させ、防曇特性がある無地のくもり止めクロスにプリントをしたくもり止めプリントクロスに関するものである。
【背景技術】
【０００２】従来のくもり止めクロスはポリエステル又はポリエステル／ナイロンを原料とし織り又は編まれたマイクロファイバークロスそのものの無地があります。
機能性重視の無地のくもり止めクロスにファッション性、デザイン性は見受けられない。
【先行技術文献】
【特許文献】
【０００３】
【特許文献１】特表２０１６−５１１８００
【考案の概要】
【考案が解決しようとする課題】
【０００４】２つの面が無地のくもり止めクロスは機能性あるがファッション性、デザイン性に欠けている。
【課題を解決する手段】
【０００５】インクジェットプリント又は転写プリントで２つの面の無地のくもり止めクロスに色彩豊かな細かいデザインや写真画像の表現が出来る。
【考案の効果】
【０００６】上述の様に、無地のくもり止めクロスにインクジェットプリント又は転写プリントで様々な図案・絵柄・模様・写真画像が表現することで様々なジャンルへ、ファッション性、デザイン性が高く実用性のあるくもり止めクロスが提供出来る。市場に供給する事で差別化出来る。
【図面の簡単な説明】
【０００７】
【図１】本考案に係る請求項１記載のくもり止めプリントクロスの側面図である。
【図２】本考案に係る請求項２記載の表面のみインクジェットプリント又は転写プリントで様々な図案・絵柄・模様・写真画像を表現して裏は無地のパターンくもり止めプリントクロスの平面図である。
【考案を実施するための形態】
【０００８】ポリエステル又はポリエステル／ナイロンを原料とし織り又は編まれた無地のマイクロファイバークロスに、少なくとも１種の界面活性剤を含浸させ、防曇特性がある無地のくもり止めクロスの１面にインクジェットプリント機又は転写プリント機でプリントをする。又、１面のプリント後、２面をプリントすることにより無地色であったくもり止めクロスがファッション性、デザイン性を特徴とするくもり止めプリントクロスとなる。
【実施例】
【０００９】以下添付図面に従って一実例を説明する。
図１図２於いて（１０）は請求項１で記載のポリエステル又はポリエステル／ナイロン原料とし織り又は編まれたマイクロファイバーに、少なくとも１種の界面活性剤を含浸させ、防曇特性がある無地のくもり止めクロスであり（１１）は、表面で（１２）は裏面になる。【００１０】図２は請求項２記載の（１１）表面のみインクジェットプリント又は、転写プリントで様々な図案・絵柄・模様・写真画像を表現し（１２）裏面は、マイクロファイバークロスそのものの無地色である平面図である。
【符号の説明】
【００１１】１０  くもり止めクロス（ポリエステル又はポリエステル／ナイロンを原料とし織り又は編まれたマイクロファイバークロスに、少なくとも１種の界面活性剤を含浸させ、防曇特性があるもの）
１１  表面
１２  裏面
【図１】
0003234386.tif 000003
【図２】
0003234386.tif 000004
【手続補正書】
【提出日】令和3年7月9日(2021.7.9)
【手続補正１】
【補正対象書類名】実用新案登録請求の範囲
【補正対象項目名】全文
【補正方法】変更
【補正の内容】
【実用新案登録請求の範囲】
【請求項１】
ポリエステル又はポリエステル／ナイロンを原料とし、織り編まれた２つの面を有する無地のマイクロファイバークロスに、少なくとも１種の界面活性剤を含浸させて防曇特性がある無地のくもり止めクロスの面に模様が入ったくもり止めプリントクロス。
【請求項２】
ポリエステル又はポリエステル／ナイロンを原料とし、織り編まれた２つの面を有する無地のマイクロファイバークロスの２つの面とは表面と裏面を指し、表面のみ模様が入り裏面が無地のパターンと表面と裏面の両面に模様が入ったパターンのくもり止めプリントクロス。
(57)【要約】      （修正有）【課題】情報内容を伝えたい人に、より注目を集め情報伝達・認知効果を高められる、鐘付携帯掲示板を提供する。【解決手段】鐘４ａ、４ｂの音と掲示板＋情報カード２との組み合わせを特徴とする鐘付携帯掲示板は、クリップ５ａ、５ｂ付掲示板に、棒３を設け、鐘４ａ、４ｂをオーリング金具６ａ、６ｂで吊るし、情報カード２の情報内容を速やかに変えられるように複数枚吊るしたもので、鐘の音での情報伝達喚起（聴覚）と情報カード２の文章・絵文字（視覚）とが相まって伝えたい人へ訴える。【選択図】図３
0003234388.tif 000002
【実用新案登録請求の範囲】
【請求項１】
クリップ付掲示板（１）に、棒（３）を設け、鐘（４ａ，４ｂ）を（６ａ，６ｂ）で取り付け、情報カ−ド（２）（ａ）〜（ｐ）をクリップ（５ａ，５ｂ）で吊るし、鐘の音での情報伝達喚起（聴覚での）と文字・絵文字・記号（２）（視覚での）伝達とが相まって、伝えたい人へ情報内容が浸透する、この鐘の音とクリップ付掲示板＋情報カード（２）（ａ）〜（ｐ）を組み合せた鐘付携帯掲示板。
【考案の詳細な説明】
【技術分野】
【０００１】  この考案は、団体、又は個人に、伝達すべき情報（文章・記号・絵文字など）をカード（紙・布・木板・化学品ボード等）に記し、予めクリップを取り付けた掲示板に吊るす、また、鐘を掲示板に取り付け、情報内容を伝えたい人に、本鐘付携帯掲示板を振りかざし、より注目を集め情報伝達・認知効果を高めるための、鐘付携帯掲示版に関するものである。
【背景技術】
【０００２】  伝達したい情報を文字・絵文字・記号等で記した掲示板（プラカードなど）は、すでに、存在するも多人数に対し、情報伝達力をさらに向上すべく、掲示板に鐘を取り付け、聴覚にも訴える仕組みを新たにプラスする。
【先行技術文献】
【特許文献】
【０００３】
【特許文献１】実用新案登録第３１４００４４号公報
【特許文献２】実用新案登録第３１４６４５１号公報
【特許文献３】特開２００９−６６９１号公報
【考案の概要】
【考案が解決しようとする課題】
【０００４】（イ）既存の掲示板（プラカード含む）は集団、または、個人に対し、情報告知の物品として、現存するが視力のみで受け入れ性（受動性）が希薄であった。
（ロ）情報伝達効果のさらなる増強を目的に本鐘付携帯掲示板が有効であった。
（ハ）集団、及び、個人は会話が多く騒がしいなど情報の伝達がしにくい。
（二）人の集まり（個人含む）の騒がしさに対して、口頭注意には、感情的になる。
本考案は、以上の欠点を補完するために考えたものである。
【課題を解決するための手段】
【０００５】  掲示板（１）にカードを挟むクリップ（５ａ、５ｂ）、棒（３）を設け、鐘（４ａ，４ｂ）をオーリング金具（６ａ，６ｂ）で取り付け、情報カード（２）をクリップで吊るし、鐘の音での情報伝達喚起（聴覚での）と文字・絵文字（２）（視覚での）伝達とが相まって、伝えたい人へ、この鐘とクリップ付掲示板＋情報カード（ａ）〜（ｐ）、又は、その時々に合わせた文章・絵文字との組み合わせた鐘付携帯掲示板。
【考案の効果】
【０００６】（イ）試作品での効能テストその１、本鐘付携帯掲示板を試作し、ファミリ−レストラン内で
騒ぐ集団に対しテストした、本鐘付携帯掲示板をその集団に振りかざした、集団は驚愕し騒ぎは収まり、効果抜群であった。
（ロ）テストその２、屋外のイベント会場で通常ハンドマイクで係員の誘導が集団への情報伝達手段としていたが、騒ぎたてているお客さんに、止めさせる手段として、本鐘付携帯掲示板で鐘を叩きながら情報カード付き掲示板を活用した結果、騒ぎは急激に収まり、効果絶大であった
【図面の簡単な説明】
【０００７】
【図１】本考案の正面図である。
【図２】本考案の平面図である。
【図３】本考案の斜視図で、情報カードを吊るし、鐘を取り付けた説明図である。
【図４】本考案の掲示版に吊るす情報カードの文章の説明図である。
【考案を実施するための形態】
【０００８】  以下、本考案の実施の形態について説明する。
クリップ付き掲示板（１）に、棒（３）を設け、鐘（４ａ、４ｂ）を（６ａ、６ｂ）で吊るして、情報カード（２）（ａ）〜（ｐ）をクリップ（５ａ、５ｂ）で取り付ける。
鐘の音での情報伝達喚起（聴覚）と、情報カード（２）の文字・絵文字（視覚）での伝達とが相まって伝えたい人へ、この鐘と掲示板＋情報カード（２）（ａ）〜（ｐ）との組み合わせた鐘付携帯掲示板である。
本考案は以上のような構造である。
本考案を使用するときは、人（人に代わるロボット、運搬具も含む）が容易に持ち歩き出来、伝えたい情報（文章・記号・絵文字など）を情報カード（２）（ａ）〜（ｐ）に記し、クリップで掲示板に吊るし、掲示板（プラカード含む）に鐘を取り付けることにより、伝えるべき人に、振りかざし、鐘を叩き鳴らしてより注目を集め、情報の伝達・認知効果を高める、掲示板を持つ者が声を出さずして伝達効果を高める。
【符号の説明】
【０００９】１  掲示板
２  情報カード（ａ）〜（ｐ）
３  棒
４ａ，４ｂ  鐘
５ａ，５ｂ  情報カードを挟む金具クリップ
６ａ，６ｂ  鐘を吊るすオーリング状金具
【図１】
0003234388.tif 000003
【図２】
0003234388.tif 000004
【図３】
0003234388.tif 000005
【図４】
0003234388.tif 000006
0003234388.tif 000007
【手続補正書】
【提出日】令和3年7月5日(2021.7.5)
【手続補正１】
【補正対象書類名】実用新案登録請求の範囲
【補正対象項目名】全文
【補正方法】変更
【補正の内容】
【実用新案登録請求の範囲】
【請求項１】
掲示板（１）と、棒（３）と、オーリング金具（６ａ，６ｂ）と、鐘（４ａ，４ｂ）と情報カード（２）と、クリップ（５ａ，５ｂ）とからなる鐘付携帯掲示板であって、前記鐘（４ａ，４ｂ）は前記オーリング金具（６ａ，６ｂ）によって前記掲示板（１）に取り付けられ、前記情報カード（２）は前記クリップ（５ａ，５ｂ）により前記掲示板（１）に吊るされていることを特徴とする鐘付携帯掲示板。
(57)【要約】      （修正有）【課題】釣り糸を連結する際、力を要する等の細かな指先の操作を必要とすることなく、簡単に素早く釣り糸の着脱を可能とし、かつ壊れにくい釣り糸連結具を提供する。【解決手段】釣り糸連結具は、針金等細い固形素材を用いた輪２の一部に、長さを輪２の円周の長さの半分より少し長くした同様の素材を用いた直棒１の端を固定し、直棒１を輪２の中心を通るように輪２に添わせる。【選択図】図１
0003234370.tif 000002
【実用新案登録請求の範囲】
【請求項１】
針金等細い固形素材を用いた輪の一部に、長さを輪の円周の長さの半分より少し長くした同様の素材を用いた直棒の端を固定し、その直棒を輪の中心を通るように輪に添わせた釣り糸連結具
【考案の詳細な説明】
【技術分野】
【０００１】
本考案は、針金等細い固形素材を用いた釣り糸連結具に関するものである。
【背景技術】
【０００２】
従来の釣り糸連結具は、ばねの力に逆らって操作するなどの指先の細かな力を必要とした。
【０００３】
また、強い力がかかると曲げた部分が伸びてしまうなど壊れやすかった。
【先行技術文献】
【特許文献】
【０００４】
【特許文献１】特開２００３−９９１５号，特開２０２０−３９３１０号
【非特許文献】
【０００５】
【非特許文献１】登録実用新案第３０６６２４７，実開平０３−０５０８６７，実開昭５９−１２２０７０，実開平０７−００７４４６
【考案の概要】
【考案が解決しようとする課題】
【０００６】
本考案は、力を要する等の細かな指先の操作を必要としないこと。
【０００７】
簡単に素早く釣り糸の着脱を可能とすること。
【０００８】
壊れにくいこと。
【課題を解決するための手段】
【０００９】
針金等細い固形物で輪を作り、釣り糸をその輪にくぐらせて、輪に沿わせた棒に引っ掛ける。
【考案の効果】
【００１０】
本考案は、力を要する等の細かな指先の操作を必要としない。
【００１１】
簡単に素早い釣り糸の着脱が可能である。
【００１２】
壊れにくい。
【００１３】
自然に外れることはほとんどあり得ない。
【図面の簡単な説明】
【００１４】
【図１】図１は、本考案の正面図である。
【図２】図２は、本考案の側面図である。
【図３】図３は、本考案に釣り糸をセットしたときの正面図である。
【図４】図４は、本考案に釣り糸をセットしたときの側面図である。
【考案を実施するための形態】
【００１５】
針金等細い固形素材を用いて輪を作る。
【００１６】
一端を輪の一部に固定した、輪の円周の長さの半分より少し長い直棒を輪の中心を通るように添わせる。
【実施例】
【００１７】
図３並びに図４のように、輪にした釣り糸を本考案の輪にくぐらせて、糸掛け棒に引っ掛けて使用する。
【００１８】
糸掛け棒を太くすると強度が増す。
【００１９】
指先等での細かな操作を必要としないため、釣り糸をとおすことができる限り、全体を小さくすることが可能である。
【産業上の利用可能性】
【００２０】
本考案は、釣り糸だけでなく、紐をはじめ、ロープ等の連結にも応用可能である。
【符号の説明】
【００２１】
１  糸掛け棒
２  輪
３  元糸等連結部
４  輪と棒の固定部分
５  輪・元糸等連結部・輪と棒の固定部分
６  連結する釣り糸
【図１】
0003234370.tif 000003
【図２】
0003234370.tif 000004
【図３】
0003234370.tif 000005
【図４】
0003234370.tif 000006
(57)【要約】      （修正有）【課題】交通事故やアクセルとブレーキの踏み間違いによる原因で、車が道路から民地側へ突入してきた時でも、民地側にいる人や建物の被害が最小限になるよう衝撃を吸収することが出来るストーン・フェンスを提供する。【解決手段】ストーン・フェンス１０は、鋼材を組合せた外縁枠３の内側に金網２を両面に張付けて出来たユニット１を、所定の位置に据付けた後に支柱埋設部（Ｈ＝３０ｃｍ）をコンクリート５にて施工し、充分固まった後に、金網２の上からすき間に充てん材を装てんすることで、民地側の被害を最小限にするストーン・フェンス１０となる。【選択図】図１
0003234313.tif 000002
【実用新案登録請求の範囲】
【請求項１】
0003234313.tif 000003
の内側の開口部の表裏に金網を貼り付けた躯体を１ユニットとし、必要数のユニットを立上げて据付けてからコンクリート基礎を打設する。
基礎の充分な硬化を確認したら、金網の間に美観を伴う充てん材（栗石・人口石・その他）を隙間を生じさせながら装てんし、最後に上部の横フレームを接合してなることを特徴とするストーン・フェンス。
【考案の詳細な説明】
【技術分野】
【０００１】  本考案は、フェンスの内側に出来た開口部に、美観を伴った栗石・人口石等を充てんすることで、交通事故で車が道路から飛び出すことがあっても、民地側にいる人や建物等に被害が及ばないように、フェンス自体の変形や破損により衝撃を吸収させるストーン・フェンスである。
【背景技術】
【０００２】  栗石・人口石等を使用するものとしては、河川では蛇籠やふとん籠があり、外構工事ではガビオンが門柱や門塀などで使用され、金網の籠に充填されたものがある。
【考案の概要】
【考案が解決しようとする課題】
【０００３】  本考案は交通事故や、高齢者の踏み間違いで起こる民地側への車両の突入及び地震時にブロック塀等が倒壊して死傷者が出ることもあり、本考案のストーン・フェンスを設置して、地震時の倒壊防止や車両の突入をくい止める必要がある。
【課題を解決するための手段】
【０００４】  道路の車両用防護柵であれば、車の道路外への逸脱は防止出来るが、もし車が突っ込んできても本考案のストーン・フェンで被害を最小限に出来るように、又、地震時の倒壊防止の為に躯体や充てんで使用する材料の種類やサイズ及び使用量を最適化する必要がある。
【考案の効果】
【０００５】  前提条件として、車の種別・総重量・スピード・衝突角度及び基礎の種類により、衝突荷重を設定し全てのケースを満足させる事は無理なため、設置箇所により衝突条件を選択し、たわみ性防護柵として機能させ、本考案のストーン・フェンスが車の衝撃エネルギーを全て受け止めるために、基礎やユニットの連結方法を含めた設置方法を場所に応じて考慮しなければならない。
【図面の簡単な説明】
【０００６】
【図１】本考案の実施例となるストーン・フェンスを４ユニット施工時の斜視図である。
【図２】本考案のストーン・フェンス施工時の側面図である。
【考案を実施するための形態】
【０００７】  躯体３の表裏両面に金網２を取付け、現場でユニット１を必要数分敷設してから、コンクリート５を打設する。その場合に躯体３の縦フレーム８の、コンクリート５への根入り深さが３０ｃｍ以上になるようにする。
コンクリート５の硬化確認後には、充てん材４を装てんするが、充てん材４のサイズ・形状にはバラつきがあるため、鉄筋又はその他の材料を加工した間隔保持材６を配置することで金網２の巾を一定にし、充てん材４が沈下や移動により盤ぶくれ状態になることを防ぐことが出来る。
【実施例】
【０００８】  本考案の実施例は図面を参照に説明する。但し、本考案は実施例に限定されるものではなく、考案の趣旨から逸脱しない範囲で適宜変更して具体化することができる。【０００９】  図１は連続した４つのユニット１を、道路の縦断勾配に合わせて階段状に設置したときの斜視図で、図２は側面図である。ユニット１は、鋼材を組み合わせた外縁枠３の内側に金網２を表裏両面に取付けるが、道路に縦断勾配がある場合に、ユニット１を水平に設置すると、根入れ長に違いが出るため、側面の埋設部の支柱の長さは地盤高の低い方は長めにとる必要がある。【００１０】  本考案のストーン・フェンスは、ブロック塀とは構造基準が異なるが、設置するユニットの根入深さがＨ＝３０ｃｍ以上有る為、地震による横揺れ、縦揺れに十分に耐え得る構造で有る。又、外部からの車輌の横方向からの突込みによる衝撃によりＵ字フレームは変形するが、倒壊を防げる構造で有る。
【符号の説明】
【００１１】Ｇ．Ｌ．・・・  地盤面
１      ・・・  ユニット
２      ・・・  金  網
３      ・・・  躯  体
４      ・・・  充てん材
５      ・・・  コンクリート
６      ・・・  間隔保持材
７      ・・・  横フレーム
８      ・・・  縦フレーム
１０    ・・・  ストーン・フェンス
【図１】
0003234313.tif 000004
【図２】
0003234313.tif 000005
(57)【要約】      （修正有）【課題】背負ったまま小物の出し入れを容易にするポケット機能を有するリュックサックを提供する。【解決手段】リュックサックのショルダーサイズ調整ベルト部５にショルダーポケット２を形成する。リュックサックを背負ったままショルダーポケットへ容易にアクセスが可能となる。【選択図】図１
0003234316.tif 000002
【実用新案登録請求の範囲】
【請求項１】
リュックサックのショルダーサイズ調整ベルト部にポケットを形成したリュックサック
【考案の詳細な説明】
【技術分野】
【０００１】本考案は、リュックサックを背負ったまま小物（携帯電話、スマートフォン、パスケース、財布、鍵等）の出し入れを容易にする為のポケット機能に関するものである。
【背景技術】
【０００２】従来リュックサックは背負ったまま物を出し入れすることは難しく、リュックサックを前面に移動、又はおろしてからの出し入れ動作となる為、頻繁に出し入れする物はリュックサックと併用してショルダーバッグ、ポーチ等を使用している。【０００３】リュックサック本体のサイドに形成したポケット図２−６に小物を出し入れしている人も多く、リュックサックを背負ったまま物を出し入れする場合は腕を後にまわし見えないポケットから手探りで物を出し入れする動作となっている。
【先行技術文献】
【０００４】
【非特許文献】
【非特許文献】実登３１７８５１２、実登３２１１３５０  リュックサックのショルダーパッド部に小物ポケットを形成。実登３２２４０３８  リュックサックのショルダーサイズ調整ベルト部にカラビナで吊り下げるポーチ。
【考案の概要】
【考案が解決しようとする課題】
【０００５】リュックサックを背負ったまま頻繁に出し入れする小物の容易な出し入れと収納性の不便さを解決するための考案である。
リュックサックのショルダー構造は図２で表すように荷重を受け背負うパッド部  符号４と体形に合わせるサイズ調整ベルト部  符号５に分かれている。
先行技術のリュックサックのショルダーパッド部に形成したポケットは実際にリュックサックを背負った時のポケットの位置と収納容量を確保するためにショルダーパッドの幅よりも大きくなってしまい違和感がある。
又、リュックサックのショルダーサイズ調整ベルト部にカラビナを使って吊り下げるポーチは以前から利用されているが、物理的に吊り下げるポーチの位置がショルダーベルトの下（リュックサック本体付け根）になるため小物の出し入れは容易ではない。
【課題を解決するための手段】
【０００６】上記の課題を解決するため、本考案はリュックサックのショルダーサイズ調整ベルト部にファスナー等で閉じることができるポケット図１−２を形成することでリュックサックを背負ったままショルダーポケットへ容易にアクセスが可能となり、収納性もポケットの形状を様々な形にすることが可能で問題点を解決している。
【考案の効果】
【０００７】リュックサックのショルダーサイズ調整ベルト部にポケット機能があることでショルダーパッド部の違和感がなく、リュックサックを背負ったまま頻繁に出し入れする小物を片手で容易に出し入れが可能となり、ポケットの形状で収納性も向上する。
又、頻繁に出し入れする小物を別のバッグでリュックサックと併用している人は別のバッグが不要になる。
【図面の簡単な説明】
【０００８】
【図１】本考案のショルダーポケット付き  リュックサック。
【図２】リュックサックのショルダー構造、サイドポケット。
【考案を実施するための形態】
【０００９】リュックサックのショルダーベルトサイズ調整機能を損なわず、ショルダーベルト部にポケットを形成したリュックサックを実現した。
【実施例】
【００１０】リュックサックのショルダーベルト部にサイズ調整機能とポケット機能を形成したリュックサックである。ポケットは様々な形状が可能となり、リュックサックを背負ったまま小物の出し入れと収納が便利になる。
【符号の説明】
【００１１】  １．リュックサック本体
２．ショルダーポケット
３．ショルダーポケット  ファスナー
４．ショルダーパッド部
５．ショルダーサイズ調整ベルト部
６．サイドポケット
【図１】
0003234316.tif 000003
【図２】
0003234316.tif 000004
(57)【要約】      （修正有）【課題】ユニットバスなどの壁面に木の温もりを感じさせる自然木で簡単に覆うことのできるマグネット付木製香りパネルを提供する。【解決手段】芳香性、耐腐朽性のある複数枚の木製薄板２を補助部材４により並列パネル化し、補助部材に防錆処理した複数のマグネット５を装着してユニットバスの金属製壁面に磁着できるようにしたものであって、壁面にマグネットシートを先貼りすることにより非金属面にも磁着可能としたものである。【選択図】図２
0003234317.tif 000002
【実用新案登録請求の範囲】
【請求項１】
芳香性、耐腐朽性のある複数枚の木製薄板を補助部材により並列パネル化し前記補助部材に複数個の防錆処理したマグネットを装着し、ユニットバスの金属（磁着性）製壁面に磁着できるようにしたことを特徴とするマグネット付木製香りパネル。
【考案の詳細な説明】
【技術分野】
【０００１】本考案はマグネット付き木製香りパネルに関するものである。
【背景技術】
【０００２】  ユニットバスは主に、無機質な樹脂製又は金属性のパネルで構成されるため、温泉の湯につかるような癒し効果までは求められない傾向であった。しかし、癒し効果の提供として、湯に芳香剤などが配合された入浴剤を入れ、人工的香りなどで癒しを提供していた。さらに究極の癒し効果として自然な香りを求め、高価ではあるが風呂全体を総ヒノキなどで作るなどが行われている。
【考案の概要】
【考案が解決しようとする課題】
【０００３】  木のお風呂は憧れではあるが、コストがかかり、手入れも大変なため、一般家庭ではユニットバスが主体で身近なものではなかった。しかしお風呂は心身を癒す場所として重要な役割を果たしていることから、人工の香りで「森林の香り」や「ヒノキの香り」などの入浴剤が販売使用されている。【０００４】  そこで本考案は、ユニットバスの壁面にヒノキ、ヒバ、スギなどの自然木を利用したパネルを簡単に取り付けることで木の温もりをお風呂に提供し、さらに自然木の香りをユニットバス内に提供することを課題としたものである。
【課題を解決するための手段】
【０００５】  芳香性、耐腐朽性のある複数枚の木製薄板を補助部材により並列パネル化し、前記補助部材に複数個の防錆処理したマグネットを装着し、浴室ユニットバスの金属製壁面に磁着できるようにしたものである。
またユニットバスの壁面が非金属製の場合、マグネット接触部分にマグネットシートを先貼りすることにより磁着を可能としたものである。
【考案の効果】
【０００６】  ヒノキ、ヒバ、スギなどの耐腐朽性の強い木には、森林浴効果のある香りがある。本考案のマグネット付き木製香りパネルはこれらの材質を選択することができ、ユニットバス壁面を本考案のパネルで覆うことにより、視覚、嗅覚、触覚で木の温もりを身近に感じられ、入浴時、心身ともにリラックスできるものである。【０００７】  また、本考案のパネルは浴室だけにとどまらず寝室、書斎、玄関、洗面所、トイレなどの壁にマグネットシートを先貼りすることで家中を木の温もりが感じられるリラックス空間にすることもできる。【０００８】  そして本考案のマグネット付き木製香りパネルはマグネットによる磁着パネルなので、脱着が可能で交換や手入れも簡単にできるものである。
【図面の簡単な説明】
【０００９】
【図１】本考案のマグネット付き木製香りパネルの一実施例を示す表面斜視図である。
【図２】本考案のマグネット付き木製香りパネルの一実施例を示す裏面斜視図である。
【図３】本考案のマグネット付き木製香りパネルのマグネット部の断面図である。
【図４】本考案のマグネット付き木製香りパネルの施工図である
【考案を実施するための形態】
【００１０】  ユニットバスが金属製壁面の場合、本考案のマグネット付き木製香りパネルの裏側に装備されているマグネットにより、壁面に簡単に磁着させることができる。またユニットバスが非金属壁面の場合、粘着性のマグネットシートを、本考案のマグネット付き木製香りパネルのマグネット部が磁着する位置に先貼りすることにより磁着が可能となる。さらに壁の形状に合わせてパネルを分割することで、壁面の様々な形状にも対応することもできるものである。
【実施例】
【００１１】  以下、本考案のマグネット付き木製香りパネル（以下、パネルと称する）を、一実施例をもって説明する。
図１は本考案を実施したパネル１の表面斜視図である。パネル１は芳香性、耐腐朽性のある木製薄板２を複数枚並列接続しパネル化したものである。パネル化するために一定間隔で平行に並べた３本の同じ長さの補助部材４の一方の面５に接着剤などを施し、木製薄板２を補助部材４に対し直角に複数枚並列接着接続させパネル１を構成させる。補助部材４は本実施例では３本使用したが必要に応じ増減しても構わない。【００１２】  図２はパネル１の裏面３の斜視図である。３本の補助部材４の接着剤などを塗布した面の反対面６に防錆処理したマグネット５を一定深さ埋め込み設置し、パネル１の重さに合わせてマグネット５の数量も増減して構わないものである。【００１３】  図３は補助部材４の接着剤を塗布した面の反対面６に防錆処理されたマグネット５を埋め込み設備した図である。マグネット５の設備方法としては木ネジ７固定や接着剤などによる固定など簡単に離脱しない方法であればよいものとする。実施例では木ねじによる固定方法を示すものである。【００１４】  図４は構成されたパネル１をユニットバス内の金属製壁面に一枚を磁着させ２枚目の磁着準備をしている図である。ユニットバスの壁面が非金属性の壁面の場合はパネル１のマグネット５が接面する部分にマグネットシートを先貼りし、パネル１を磁着させるものである。【００１５】  すなわち本考案のマグネット付き木製香りパネルは、ユニットバスの壁が金属製であれば直接壁に磁着させることで、視覚、嗅覚、触覚で木の温もりを身近に感じられる雰囲気を作ることができるものである。壁が非磁着性であっても、マグネットシートを先貼りすることでパネル１を装備することができる。つまり浴室だけにとどまらず寝室、書斎、玄関洗面所、トイレなどの壁にマグネットシートを先貼りすることで、家中を木の温もりが感じられるリラックス空間にすることもできるものである。
さらに壁面の形状、パネルのデザインに応じて、パネルの形や枚数は増減、変化するものである。
【符号の説明】
【００１６】１．マグネット付き木製香りパネル（パネル）
２．木製薄板
３．パネル裏面
４．補助部材
５．マグネット
６．補助部材の接着剤を塗布した面の反対面
７．木ネジ
【図１】
0003234317.tif 000003
【図２】
0003234317.tif 000004
【図３】
0003234317.tif 000005
【図４】
0003234317.tif 000006
(57)【要約】      （修正有）【課題】口腔内の歯列にフィットして磨き残しが少ない、湾曲両面歯ブラシを提供する。【解決手段】歯ブラシの形状を歯列にフィットしやすいよう、ヘッド部分１を湾曲したものにし、歯列の内側と外側を磨く際にフィットするよう、ヘッド部分の内側と外側の両面に植毛する。使用者の成長に合わせて、湾曲部の曲率を子供用は大きく大人用は小さくし、植毛の長さは歯間の隙間に届くよう２ミリから２０ミリとする。使用法は、歯列の内側は湾曲外側部分を用いて磨き、歯列の外側は湾曲内側部分を用いて磨き、歯列の咬合部は湾曲外側部分を用いて磨くことで、歯列のカーブと歯ブラシの隙間が極小化され、磨き残しを発生しにくくできる。【選択図】図１
0003234307.tif 000002
【実用新案登録請求の範囲】
【請求項１】
従来の直線型歯ブラシのヘッド部分を湾曲させて歯列のカーブに沿う形状にしたことを特徴とする歯ブラシ。
【請求項２】
前記ヘッド部分の外側と内側の両面に植毛したことを特徴とする請求項１に記載の歯ブラシ。
【考案の詳細な説明】
【技術分野】
【０００１】本発明は、磨き残しが少ない歯ブラシに関するものである。
【背景技術】
【０００２】従来の歯ブラシは、ヘッド部分が直線型なので歯列のカーブとの間に隙間ができて、磨き残しが生じやすいものでした。
【考案の概要】
【考案が解決しようとする課題】
【０００３】虫歯や歯周病予防など全身の健康にも影響する口腔衛生において最も重要な役割を果たす用具の一つが歯ブラシです。しかし、市販されている歯ブラシのヘッド部分の形状は直線型であり、そのため歯列のカーブに沿わせにくく、歯列とブラシの間に隙間が生じてしまい、ブラシに近い歯は当たりが強すぎ、ブラシから遠い歯は隙間が生じて十分に当たらず、磨き残しが生じてしまいがちでした。本発明が解決しようとする課題は、口腔内の歯列にフィットして隙間が生じにくく磨き残しが少ない歯ブラシを提供することにあります。
【課題を解決するための手段】
【０００４】本発明は、前項の課題を解決するために次の技術的手段を講じています。歯ブラシの形状を歯列にフィットしやすいよう、ヘッド部分を湾曲したものにします。歯列の内側と外側を磨く際にフィットするよう、ヘッド部分の内側と外側の両面に植毛します。使用者の成長に合わせて、湾曲部の曲率を子供用は大きく大人用は小さくし、植毛の長さは歯間の隙間に届くよう２ミリから２０ミリとします。
【考案の効果】
【０００５】本発明によれば、歯列の内側は湾曲外側部分を用いて磨き、歯列の外側は湾曲内側部分を用いて磨き、歯列の咬合部は湾曲外側部分を用いて磨くことで、歯列のカーブと歯ブラシの隙間が極小化され、磨き残しを発生しにくくできます。
【図面の簡単な説明】
【０００６】
【図１】大人用の断面図です。図に示すように、実施例の歯ブラシは、ヘッド部分（１）の形状が直線ではなく湾曲しており、ヘッド部分の外側（２）と内側（３）の両面に植毛しています。
【図２】大人用の平面図です。
【図３】子供用の断面図です。
【図４】子供用の平面図です。
【図１】
0003234307.tif 000003
【図２】
0003234307.tif 000004
【図３】
0003234307.tif 000005
【図４】
0003234307.tif 000006
【手続補正書】
【提出日】令和3年6月7日(2021.6.7)
【手続補正１】
【補正対象書類名】実用新案登録請求の範囲
【補正対象項目名】全文
【補正方法】変更
【補正の内容】
【実用新案登録請求の範囲】
【請求項１】
直線型歯ブラシのヘッド部分を湾曲させて歯列のカーブに沿う形状にしたことを特徴とする歯ブラシ。
【請求項２】
前記ヘッド部分の外側と内側の両面に植毛したことを特徴とする請求項１に記載の歯ブラシ。